(57)【要約】  【課題】  高電圧放電により空気中の浮遊物を集塵する集塵機を備えた空気調和機において，特に，該集塵機への電力供給を行う高圧給電回路と，前記高圧給電回路から上記集塵機にいたる高圧配線経路に設けられ，前記集塵機側と前記高圧給電回路とを接続する接続部とを備え，上記接続部における有害な放電現象などを防止して，耐久性，静音性を高めること。  【課題を解決するための手段】  室内機に高電圧放電により空気中の浮遊物を集塵する集塵機と，該集塵機への電力供給を行う高圧給電回路と，前記高圧給電回路から上記集塵機にいたる高圧配線経路に設けられ，前記集塵機側と前記高圧給電回路とを接続する接続部とを備えた空気調和機であって，前記接続部が，第１の密封手段により密封されてなることを特徴とする空気調和機。【選択図】図２
2006234313.tif 000002
【特許請求の範囲】
【請求項１】
室内機に高電圧放電により空気中の浮遊物を集塵する集塵機と，
該集塵機への電力供給を行う高圧給電回路と，
前記高圧給電回路から上記集塵機にいたる高圧配線経路に設けられ，前記集塵機側と前記高圧給電回路とを接続する接続部とを備えた空気調和機であって，
前記接続部が，第１の密封手段により密封されてなることを特徴とする空気調和機。
【請求項２】
前記接続部が，接続端子と該接続端子に芯線が圧着された線材とを有してなり，前記接続端子の接続面が開放されるように前記第１の密封手段により密封されてなる請求項１に記載の空気調和機。
【請求項３】
前記高圧給電回路についても第２の密封手段により密封されてなる請求項１又は２のいずれかに記載の空気調和機。
【請求項４】
前記第１の密封手段と第２の密封手段とが連続一体である請求項３に記載の空気調和機。
【請求項５】
前記第１及び／又は第２の密封手段が，樹脂のモールドである請求項１〜４のいずれかに記載の空気調和機。
【発明の詳細な説明】
【技術分野】
【０００１】
本発明は，高電圧放電により空気中の浮遊物を集塵する集塵機を備えた空気調和機に関し，特に，該集塵機への電力供給を行う高圧給電回路と，前記高圧給電回路から上記集塵機にいたる高圧配線経路に設けられ，前記集塵機側と前記高圧給電回路とを接続する接続部とを備え，上記接続部における有害な放電現象などを防止して，耐久性，静音性を高めた空気調和機に関するものである。
【背景技術】
【０００２】
近年，室内環境の向上が空気調和機の付加価値として大きく評価されている。そのため空気調和機に空気中の塵埃を除去する集塵機を設けたものが多く流通している。
このような集塵機の代表例としては，高電圧差を設けた電極間で放電を生じさせ，空気中の塵埃に帯電させることで塵埃を電極に吸着させるという電気的な方法を採用するものが知られている。
かかる電気集塵機においては，集塵機に高電圧を与える必要があり，室内機側に高圧給電回路を設けると共に，この高圧給電回路と集塵機側を配線により接続しなければならない。
この場合，通常高電圧を扱う性質上，高圧給電回路と集塵機側の電極とを直接接続するのは危険であるとの配慮から，上記配線の途中に，端子などを用いた接続部を設けることが常識的に行われている。
上記のような電気集塵機を設けた空気調和機における集塵部の電極構造が特許文献１に記載されている。
【特許文献１】特開平０５−１４６７１５号公報
【発明の開示】
【発明が解決しようとする課題】
【０００３】
上記のような高電圧の配線中の接続部について，高圧給電回路からの配線は一般的に銅の被覆線で，これに端子を圧着しその上から絶縁被覆を行うような構造を採用している。しかしながら，このような接続部構造では，端子との接触面が線接触となり，銅線に細線のより線を用いた場合は特に，接触面積が小さいため放電が起こりやすいという不都合がある。
また上記のような絶縁被覆による接続構造では，完全な密封構造を採用することが出来ないので，接続部が空気と接触してさびが発生し，これが更に放電を助長する問題がある。
また上記のような放電が生じると，電気配線の断線，該電気配線や周囲の可燃物の焼損，或いは雑音の原因となる。更には，有害なイオンを生じる結果となる。
従って，本発明は上記事情に鑑みてなされたものであり，その目的とするところは，上記接続部の密封性を完全なものにして，上記したような放電の可能性を根本的に除去することのできる空気調和機を提供することにある。
【課題を解決するための手段】
【０００４】
上記目的を達成するために本発明は，
室内機に高電圧放電により空気中の浮遊物を集塵する集塵機と，
該集塵機への電力供給を行う高圧給電回路と，
前記高圧給電回路から上記集塵機にいたる高圧配線経路に設けられ，前記集塵機側と前記高圧給電回路とを接続する接続部とを備えた空気調和機における前記接続部を，密封してなる空気調和機である。
このような密封構造を採用することで，上記接続部に空気が接触しなくなり，接続部の放電が防止される。更に，空気との接触がないと空気中の湿気や酸素の影響を受けないため腐食も進まないので，腐食及びそれに伴う放電がより強力に防止される。
また，接続端子と該接続端子に芯線が圧着された線材とを有してなる接続部に対しては，前記接続端子の接続面が開放されるように前記接続部を密封してなることが望ましい。
前記高圧給電回路についても密封構造としてもよい。これにより，高圧給電回路と配線との接続部の腐食及び放電が防止される。
上記両接続部の密封構造を連続的に一体化してもよい。これにより製造の手間が省略される。
上記のような密封構造は，レジンなどのモールドにより達成しうる。モールドによって完璧な密封性が確保されるであろう。
【発明の効果】
【０００５】
以上説明したように，本発明によれば，上記接続部に空気が接触しなくなり，接続部の放電が防止される。更に，空気との接触がないと空気中の湿気や酸素の影響を受けないため腐食も進まないので，腐食及びそれに伴う放電がより強力に防止される。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の一実施形態に係る空気調和機に用いることの出来る高圧配線部の接続ユニットの構造を示す同ユニットの斜視図，図２は同ユニットの要部断面図，図３は本発明にかかる空気調和機の集塵機を含む断面図（オープンパネルを閉じた状態を示す），図４は本発明にかかる空気調和機の集塵機を含む断面図（オープンパネルを上向きに開いた通常の使用状態を示す），図５は本発明にかかる空気調和機の集塵機を含む断面図（オープンパネルを下向きに開いたメンテナンスを行う使用状態を示す），図６は同空気調和機のオープンパネルを取り除いた状態であって，集塵機を備えた状態を示す斜視図，図７は同空気調和機のオープンパネルを取り除いた状態であって，更に集塵機取り除いた状態を示す斜視図，図８は同空気調和機のオープンパネル及び前面パネルを取り除いた状態であって，集塵機を備えた状態を示す斜視図，図９は同空気調和機のオープンパネル及び前面パネルを取り除いた状態であって，更に集塵機取り除いた状態を示す斜視図である。
まず，図３〜図５を用いて，室外機と室内機とが分離された，いわゆる分離型の空気調和機における室内機Ｘの外観構成及び内部構成の概要について説明する。
図１に示すように，本空気調和機の室内機Ｘは，ほぼ長手方向断面の略中央に送風ファン１を備え，該送風ファン１の上部を取り囲むように３本の熱交換器２ａ，２ｂ，２ｃが配設されている。
中央の熱交換器２ｂの外側には集塵機３が設けられている。
上記熱交換器２ａ〜２ｃの上面及び前面は，前面パネル４と該前面パネル４の図示しない開口部を覆うオープンパネル５とにより囲まれており，また上記熱交換器２ａ〜２ｃの下部は，空気吹き出し口６をはさんでドレンパン７とキャビネット８とにより覆われている。
上記オープンパネル５は，図３に示す閉じた状態と，図４に示す上方向に開いた通常の運転状態と，図５に示す下方向に開いたメンテナンスに便利な状態の３つの状態を取りうるものである。
【０００７】
従ってオープンパネル５が，図４に示すように上に向けて開いた状態で送風ファン１が回転すると，上記オープンパネル５が上方に向けて開くことにより形成された開口５ａや前面パネル４の上部に設けられた開口部４ａから室内空気が引き込まれ，引き込まれた空気は，集塵機３を通って清浄化され，更に中央の熱交換器２ｂを通過して熱交換された後，空気吹き出し口６を経て室内に送風される。
また，メンテナンス時には，操作者は，図５に示すようにオープンパネル５を下向きに開き，集塵機３を取り外して掃除をしたり，或いは熱交換器２周囲の，図外のフィルタの掃除をしたりすることが出来る。
図６は同空気調和機の上記オープンパネル５を取り除いて，集塵機３の設置状態をよく見えるようにした斜視図である。集塵機３を取り外した状態は図７に示される。
さらに，理解を容易にするために前面パネル４を取り外して，集塵機３の設置状態を明示したのが図８であり，そこから集塵機３を更に取り外したのが図９である。
図９に示す室内機Ｘの奥側には，上記集塵機３に接続して高電圧を供給する接続ユニットＹが設けられている。接続ユニットＹには，集塵機３に高電圧を供給する接続端子１０ａ，１０ｂが設けられている。
集塵機３を図９に示す取り外し状態から，図８に示すように取り付けると，集塵機３の図示しない端子と上記接続端子１０ａ，１０ｂとが接触し，集塵機３への高電圧の給電を行う状態となる。
【０００８】
次に図１及び図２を参照して，上記接続ユニットＹの構造について説明する。図１は，図９と同じ方向に置かれた接続ユニットＹを，上部の蓋を外した状態で描いたものである。
ここに接続ユニットＹは，図示のようにかまぼこを上下反対にしたような形状をしており，その中央壁１１によって左右の部屋１２ａと１２ｂとに概略分かれている。左側の部屋１２ａは単純なかまぼこを上下逆にしたような形状であり，内部に高圧給電回路基板２０が収納される。一方，右側の部屋１２ｂは，図２に示すように垂直の隔壁１３ａ，１３ｂによって，中央のねじ室１４ａと，左右の端子取り付け室１４ｂ，１４ｃの３室に分かれている。
上記ねじ室１４ａはこの接続ユニットＹを筐体に取り付けるためのビスをはめ込むねじ孔１５を設けるための室である。
左右の端子取り付け室１４ｂ，１４ｃにはそれぞれ端子取り付け台１６ａ及び１６ｂが形成され，ここに前記接続端子１０ａ及び１０ｂの端部１０ａ−１，１０ｂ−１がねじ１７ａ，１７ｂにより後述する接続端子１９ａ，１９ｂと共にそれぞれが圧接されて取り付けられる。これにより前記接続端子１０ａ，１０ｂと接続端子１９ａ，１９ｂとが電気的に接続される。
更に上記端子取り付け台１６ａ，１６ｂと前記隔壁１３ａ，１３ｂとの間には，夫々レジン収納室１８ａ，１８ｂが形成されている。
【０００９】
前記高圧給電回路基板２０からの配線２１ａ，２１ｂの端部には，図２（ａ）の拡大図に示すように，Ｙ型或いは丸型の圧着端子等の接続端子１９ａ，１９ｂ（接続部の一例）がかしめられるなどにより接続されている。これら接続端子１９ａ，１９ｂは前記配線２１ａ，２１ｂとの接続部が上記レジン収納室１８ａ，１８ｂ内に収納された状態で，前記接続端子１０ａ，１０ｂと接続されている。なお，前記接続端子１９ａ，１９ｂの前記接続端子１０ａ，１０ｂとの接続部（すなわち接続端子１９ａ，１９ｂの端部の接続面）は略直角に折り曲げられており，その状態で前記接続端子１０ａ，１０ｂと圧接接続されている。
上記のように接続端子１９ａ，１９ｂが上記レジン収納室１８ａ，１８ｂ内に収納された状態で，上記レジン収納室１８ａ，１８ｂ内にレジン２２が流し込まれ，上記接続端子１９ａ，１９ｂが前記配線２１ａ，２１ｂとの接合部分と共に密封状にモールドされる。
なお，この場合，前記接続端子１９ａ，１９ｂの前記接続端子１０ａ，１０ｂとの接続部（接続面）は前記レンジ２２にモールドされない。即ち，当該接続部がレジン収納室１８ａ，１８ｂから開放された状態で前記接続端子１９ａ，１９ｂがモールドされる。
ここにレジン収納室１８に収納されたレジン（樹脂）が，第１の密封手段の一例に相当する。
前記左側の部屋１２ａ内にもレジン２２が流し込まれ，高圧給電回路基板２０が配線２１ａ，２１ｂと接続された状態のままで密封状にモールドされる。
ここに，左側部屋１２ａ内に収納されたレジン２２が，第２の密封手段の一例である。
上の例では，中央壁１１があるため，レジン収納室１８ａ，１８ｂと左側室１２ａとは別個独立になっており，夫々のレジンも別々の状態になっているが，上記壁１１の一部を切り欠いて，レジン収納室１８と左側室１２ａとを連通させれば，両モールドが連続一体となり，レジンを流し込む手間が一度で済むことになる。
上記のように配線２１ａ，２１ｂと接続端子１９ａ，１９ｂ，或いは，高圧給電回路基板２０との接続部が，レジン２２により密封されることにより，上記接続部に空気が接触しなくなるので，接続部の腐食がなくなり，耐久性が向上すると共に，接続部での放電もなくなり，更に耐久性が向上するばかりか，雑音の発生も回避される。
【図面の簡単な説明】
【００１０】
【図１】本発明の一実施形態に係る空気調和機に用いることの出来る高圧配線部の接続ユニットの構造を示す同ユニットの斜視図。
【図２】接続ユニットの要部断面図。
【図３】本発明にかかる空気調和機の集塵機を含む断面図（オープンパネルを閉じた状態）。
【図４】本発明にかかる空気調和機の集塵機を含む断面図（オープンパネルを上向きに開いた通常の使用状態）。
【図５】本発明にかかる空気調和機の集塵機を含む断面図（オープンパネルを下向きに開いたメンテナンスを行う使用状態）。
【図６】空気調和機のオープンパネルを取り除いた状態であって，集塵機を備えた状態を示す斜視図。
【図７】空気調和機のオープンパネルを取り除いた状態であって，集塵機取り除いた状態を示す斜視図。
【図８】空気調和機のオープンパネル及び前面上部筐体を取り除いた状態であって，集塵機を備えた状態を示す斜視図。
【図９】空気調和機のオープンパネル及び前面上部筐体を取り除いた状態であって，集塵機取り除いた状態を示す斜視図。
【符号の説明】
【００１１】
Ｘ…室内機
Ｙ…接続ユニット
１…送風ファン
２…熱交換器
３…集塵機
４…前面パネル
５…オープンパネル
６…空気吹き出し口
７…ドレンパン
８…キャビネット
１０…接続端子
１１…中央壁
１２ａ…左側部屋
１２ｂ…右側部屋
１３…隔壁
１４ａ…ねじ室
１４ｂ，１４ｃ…端子取り付け室
１５…ねじ孔
１６…端子取り付け台
１７…ねじ
１８…レジン収納室
１９…接続端子
２０…高圧給電回路基板
２１…配線
２２…レジン
【図１】
2006234313.tif 000003
【図２】
2006234313.tif 000004
【図３】
2006234313.tif 000005
【図４】
2006234313.tif 000006
【図５】
2006234313.tif 000007
【図６】
2006234313.tif 000008
【図７】
2006234313.tif 000009
【図８】
2006234313.tif 000010
【図９】
2006234313.tif 000011